(57)【要約】【課題】  便器から側方に転落するのを防止する設備が施されていない洋式便器でも簡単に適用でき、必要に応じて簡単に取り除くことが可能で、また人が倒れ込んだ際に、これを確実に支えて怪我等の発生を防止できる転倒防止具を提供する。【解決手段】  トイレの洋式便器Ｂの両側に左右一対の転倒防止ユニット１を配置し、転倒防止ユニット１として、便器Ｂと概略同一高さのエア膨張体２と、エア膨張体２の上下面に装着可能な一対の補強板３から構成する。エア膨張体２の一辺には、便器Ｂの側面形状に倣った円弧状面部２ｒを形成し、この円弧状面部２ｒの上端に、便器Ｂの便座Ｂｚに固定するための面ファスナ７ａ、７ｂ付きの固定帯６を設けると同時に、左右のエア膨張体２同士を連結するための面ファスナ９ａ、９ｂ付きの連結帯８を設ける。【選択図】      図１
2008073374.tif 000002
【特許請求の範囲】
【請求項１】
トイレ内の洋式便器の両側部に配置され、要介護者等が便器から転倒するのを防止するための転倒防止具であって、前記転倒防止具は、便器の側面形状に倣った円弧状面部を有し且つ便器の高さと概略同一高さの左右一対のエア膨張体と、各エア膨張体の上面と下面に装着される上下一対の補強板を備え、前記各エア膨張体には、便器に固定するための固定手段が設けられることを特徴とするトイレの転倒防止具。
【請求項２】
前記エア膨張体には、左右のエア膨張体同士を便器の前面で連結するための連結手段が設けられることを特徴とする請求項１に記載のトイレの転倒防止具。
【発明の詳細な説明】
【技術分野】
【０００１】
本発明は、例えば要介護者等がトイレの洋式便器の側方に転倒するのを防止するための転倒防止具に関する。
【背景技術】
【０００２】
要介護者が腰掛式の洋式便器を使用する際、介護者の助力が必要であり、介護者から手が離れた場合などには、便器から側方に転落して壁に頭を打ったり、体に怪我をしたりするような不具合がある。このため、従来では、便器の左右に手摺りを設けて身体の安定を図りやすくするようにした技術（例えば、特許文献１、特許文献２参照。）や、便座の高さと同一のステージ板を使用して便器の側面側に転落するのを防止するようにした技術（例えば、特許文献３、特許文献４参照。）や、特殊な椅子を設けて転倒を防止するようにした技術（例えば、特許文献５参照。）などが知られている。
【特許文献１】実公平８−４５２０号公報
【特許文献２】実用新案登録第３０７４１５２号公報
【特許文献３】特開２０００−２０４６３９号公報
【特許文献４】特開２０００−２０４６４０号公報
【特許文献５】特開２００６−４３３７４号公報
【発明の開示】
【発明が解決しようとする課題】
【０００３】
ところが、従来の技術はいずれも固定式のものが多く、設備費用が嵩むと同時に、一度施工してしまうと、後から追加工するのが困難であった。また、施工されていない通常の既存のトイレには適用できなかった。
更に、設備の内容によっては、介護者が介護するときに邪魔になることもあり、このような際には、設備を取り除くことができないため、不便を感じることもあった。
【０００４】
一方、便器の側面側に空気で膨張させるクッション材を設置するようにすれば、特に転落防止設備が設けられていないトイレにも簡単に適用でき、また、不要なときは空気を抜くだけで邪魔にならない状態にできるため便利であるが、便器と側面のトイレ壁との間のスペースが広いような場合には、クッション材に向けて倒れ込んだ場合、或いは、クッション材上部に手をつき、体重をかけた場合等にはクッション材の位置がずれやすく、安定した状態で支えることができなかった。
【０００５】
そこで本発明は、便器から転落を防止する設備が施されていないトイレでも簡単に適用することができ、また必要に応じて簡単に取り除くことが可能で、しかも、人が倒れ込んだ際に、確実に支えて怪我等の発生を防止できる転倒防止具を提供することを目的とする。
【課題を解決するための手段】
【０００６】
上記目的を達成するため本発明は、トイレ内の洋式便器の両側部に配置され、要介護者等が便器から転倒するのを防止するための転倒防止具において、前記転倒防止具を、便器の側面形状に倣った円弧状面部を有し且つ便器の高さと概略同一高さの左右一対のエア膨張体と、各エア膨張体の上面と下面に装着される上下一対の補強板から構成し、前記各エア膨張体には、便器に固定するための固定手段を設けた。
【０００７】
エア膨張体の上下面に補強板を装着して便器の両側の床面に載置することにより、エア膨張体を床面に安定した状態で載置できるようになり、また、人が倒れ込んだ場合に、人体に接触するエア膨張体の上面の面積が広がると同時に、エア膨張体の上面が便器と略同一高さであるため、人体に受ける衝撃が少なく、怪我等が防止できる。
しかも、エア膨張体の固定手段によりエア膨張体を便器に固定しているため、トイレの側壁との距離が広い場合でもエア膨張体が位置ずれすることはなく、安定した状態で人体を支えることができる。この際、固定手段としては、例えば洋式便器の揺動可能な便座等に固定帯を面ファスナ等で固定するような方式が採用できる。
そして、このような転倒防止具は、極めて軽量で、簡単に他のトイレにも運び込むことができ、しかも不使用時には排気することでコンパクトに折り畳めるので取り扱いに便利である。
【０００８】
また本発明では、前記エア膨張体には、左右のエア膨張体同士を便器の前面で連結するための連結手段を設けるようにした。
このように、左右のエア膨張体同士を連結しておけば、エア膨張体の位置決めが一層確実となり、位置ずれを起こしにくくすることができる。
なお、連結手段としては、連結帯を面ファスナ等で連結自在にするような方式が採用可能である。
【発明の効果】
【０００９】
要介護者等の洋式便器を利用する者が便器から側方に転倒するのを防止する転倒防止具として、洋式便器の左右にエア膨張体を位置決めすると同時に、固定手段によって便器に固定できるようにすることで、その上に倒れ込んだ際でも安定した状態で支えることができる。また、必要がない場合は簡単に小さく折り畳んで収納できるので便利である。
また、左右のエア膨張体を連結手段で連結すれば、一層安定した状態で使用することができる。
【発明を実施するための最良の形態】
【００１０】
本発明の実施の形態について添付した図面に基づき説明する。
ここで図１は本発明に係る一方側の転倒防止具の説明図、図２は本転倒防止具を便器に固定した状態の説明図、図３はエア膨張体と補強板の装着状態を説明する断面図、図４はエア膨張体内部の吊り布の説明図、図５は結合帯で便座に固定する状態の説明図、図６は連結帯の説明図、図７は本転倒防止具の上部にアタッチメント膨張体を取り付けた状態の説明図、図８は洋式便器の一例を示す説明図である。
【００１１】
本発明に係るトイレの転倒防止具は、図８に示すような洋式便器Ｂを備えた通常のトイレでも簡易に設置することができ、また必要がない場合には簡単に取り除くことが可能で、要介護者等が便器を利用する際、要介護者が便器から転倒して怪我等を起こすのを簡単に防止できるようにされている。因みに、この便器Ｂは、リム部Ｂｒの上部で揺動自在な便座Ｂｚや便座カバーＢｃを備えている一般的な洋式便器である。
【００１２】
本転倒防止具は、上記のような洋式便器Ｂの左右に設置可能とされ、図１に示すような左右対称の転倒防止ユニット１を一対備えている。そして、この転倒防止ユニット１は、給排気口１３からのエアの出し入れによって拡縮自在なエア膨張体２と、このエア膨張体２の上面と下面に装着自在な補強板３を備えており、エア膨張体２の一方側の面（内側面）は、便器Ｂの外周側面形状に合わせて円弧状の円弧状面部２ｒとされている。
【００１３】
そして、このエア膨張体２は、本実施例の場合、基布にウレタン樹脂をコーティングしたウレタン引き布から気密状に形成され、上下面には、前記補強板４を装着するためのポケット部４が形成されるとともに、このポケット部４の開口部側には、補強板３が抜け出るのを防止するための折返し片５が設けられている。そして、この折返し片５には、後述するポケット部４の裏地の面ファスナ１０ｂに係脱自在な面ファスナ１０ａが取り付けられており、後述する要領で補強板３をポケット部４内に収納保持できるようにされている。
【００１４】
また、エア膨張体２の円弧状面部２ｒの上端の縫着部には、エア膨張体２を便器Ｂに固定するための固定手段としての前後一対の固定帯６が設けられ、この固定帯６は、本実施例の場合、エア膨張体２の素材と同一で、基布にウレタン樹脂をコーティングしたウレタン引き布から構成されるとともに、その裏面側には、図５にも示すように、雌雄一対の面ファスナ７ａ、７ｂが取り付けられている。そして、固定帯６を便座Ｂｚに巻き付けた後、面ファスナ７ａ、７ｂ同士を係着させれば、便器Ｂに固定できるようにされている。
【００１５】
また、エア膨張体２の前面側の内側端部には、左右のエア膨張体２同士を連結するための連結手段としての連結帯８が設けられ、この連結帯８も、本実施例の場合、基布にウレタン樹脂をコーティングしたウレタン引き布が使用されている。そして、左右一方側のエア膨張体２の連結帯８の裏面側と、他方側のエア膨張体２の連結帯８の表面側には、図６に示すような雌雄一対の面ファスナ９ａ、９ｂが取り付けられ、左右のエア膨張体２の連結帯８の面ファスナ９ａ、９ｂ同士を係着させることで、左右のエア膨張体２を連結できるようにされている。
【００１６】
前記折返し片５は、ポケット部４の開口部に縫着等により接合されており、図３に示すように、ポケット部４に補強板３を挿入した後、ポケット部４内に向けて折り返すことで、折返し片５に設けた面ファスナ１０ａと、ポケット部４内の面ファスナ１０ｂを係着させることができるようにされている。
【００１７】
エア膨張体２の内部には、水平な一方向（円弧状面部２ｒと、これに対向する面を結ぶ方向）に吊り布１１を設けている。この吊り布１１は、エア膨張体の内部の対向する二面間に布や帯などの伸びのない部材を掛け渡すことにより、同方向の膨らみを一定量に規制するものであり、このような吊り布１１を水平方向に設けることで、エア膨張体２の上面と下面の形状をよりフラットに近い形状にすることができる。そして、本実施例では、図４に示すように、上下２段に設けており、また、膨張体２の前後方向（図４の紙面垂直方向）に亘って端から端まで全域に設けるのではなく、両端側の一部に隙間を持たせることにより、同部を通してエアが自由に流通できるようにしている。
【００１８】
そしてこのように水平一方向にだけ吊り布１１を設けることにより、エア膨張体２の上下面の形状がフラットに近い状態になるようにしている。
これに対して、吊り布を垂直方向に設ければ、エア膨張体２の上下面の形状をフラットに近づけるのが困難となり、また、水平方向でも前後方向に設ければ、衝撃を吸収する効果が弱まる。
【００１９】
前記補強板３は、エア膨張体２の下面側の接地面積を増やして安定した状態で位置決めできるようにし、また、その上に人が倒れ込んだ際に、上面側の広い面積で人体に接触して衝撃吸収効果を高めることができるような目的で使用されており、このため、エア膨張体２の上面と下面をなるべくフラットな形状に保てるようにしている。
そして本実施例では、５０〜１００ｋｐａ程度のエア圧がかかっても容易に撓むことのないようなショアーＤ硬度が７５〜８５の硬さで、しかもある程度重量が軽く、しかも加工しやすい素材である合成樹脂板がよく、特に厚み２〜３ｍｍのポリプロピレン板が好ましい。
【００２０】
以上のような左右一対の転倒防止ユニット１を便器Ｂの左右両側に設置した設置例は、図２の通りである。すなわち、便器Ｂの左右両側に円弧状面部２ｒを内側にして配置するとともに、固定帯６を便座Ｂｚに巻き付けて固定し、更に、連結帯８同士を便器Ｂの前面で連結固定する。
このことにより、例えば要介護者等が便器Ｂに座ろうとして姿勢が不安定になり、便器Ｂから側方に倒れ込もうとした場合でも、転倒防止ユニット１により支えられ、側部下方に倒れ込むような不具合が防止でき、しかも、転倒防止ユニット１が位置ずれしにくいため、確実に支えられる。
なお、便座Ｂｚに座る場合に、固定帯６が尻に敷かれることになるが、面ファスナ７ａ、７ｂはいずれも裏側であるため、尻に違和感等を感じることはない。
【００２１】
ところで、以上のような転倒防止ユニット１の上部に、図７に示すような補助用エア膨張体１２を取り付け、補助用エア膨張体１２の上端部が便器Ｂに座った人の肩の位置程度になるようにし、側方へ転倒するのを一層確実に防止できるようにしてもよい。この際、下方のエア膨張体２と上方の補助用エア膨張体１２は、例えば面ファスナ等を利用して固定するようにできるが、補助用エア膨張体１２として、下方のエア膨張体２と同一形態のものを鎖線に示すように、反対向きにして使用するようにしてもよい。
【００２２】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、固定帯６の面ファスナ７ａ、７ｂや連結帯８の面ファスナ９ａ、９ｂ等の取付要領等は任意であり、また、係着方法は面ファスナに限られるものではない。
また、エア膨張体２の後面側の内側端部にも、左右のエア膨張体２同士を連結するための連結手段として連結帯を設け、その連結帯同士を便器Ｂの後面で連結固定してもよい。
【産業上の利用可能性】
【００２３】
要介護者等がトイレを使用中、洋式便器から転倒するのを防止するための転倒防止具として、左右対称形の転倒防止ユニットを便器の左右両側に配置して便器に固定するようにしたため、転倒防止ユニットの姿勢や位置が安定し、エア膨張体の上に倒れ込んだ場合でも確実に支えることができる。また、左右のエア膨張体を連結手段で連結すれば、一層姿勢が安定する。
【図面の簡単な説明】
【００２４】
【図１】本発明に係る一方側の転倒防止具の説明図
【図２】本転倒防止具を便器に固定した状態の説明図
【図３】エア膨張体と補強板の装着状態を説明する断面図
【図４】エア膨張体内部の吊り布の説明図
【図５】結合帯で便座に固定する状態の説明図
【図６】連結帯の説明図
【図７】本転倒防止具の上部にアタッチメント膨張体を取り付けた状態の説明図
【図８】洋式便器の一例を示す説明図
【符号の説明】
【００２５】
１…転倒防止ユニット、２…エア膨張体、２ｒ…円弧状面部、３…補強板、６…固定帯、８…連結帯、Ｂ…便器、Ｂｚ…便座。
【図１】
2008073374.tif 000003
【図２】
2008073374.tif 000004
【図３】
2008073374.tif 000005
【図４】
2008073374.tif 000006
【図５】
2008073374.tif 000007
【図６】
2008073374.tif 000008
【図７】
2008073374.tif 000009
【図８】
2008073374.tif 000010